(57)【要約】【課題】開閉自在なハッチ式の窓装置を設けた足場パネルを提供する。【解決手段】平行な一対の枠フレーム(3)を連結フレーム(5)で連結した枠体(7)の上面に床板(8)が敷設され、床板の下側に前記枠体(7)に固設された支持フレーム(6)を有する足場パネルにおいて、開閉自在な窓装置(12)を設けており、前記窓装置(12)は、床板(8)に形成された開口部(13)と、該開口部を開閉する蓋手段(14)とから成り、前記開口部(13)は、広がりを有する広口部(13a)と、該広口部から前記支持フレーム(6)を超える位置まで延長された拡張口部(13b)を形成し、前記蓋手段(14)は、前記開口部(13)を開閉する開閉板(15)と、該開閉板の基端部(15a)を前記支持フレーム(6)に回動自在に枢結する枢結手段(16)を設けており、前記開閉板(15)を前記支持フレーム(6)に対して回動することにより前記開口部(13)を開閉するように構成されている。【選択図】図５
2014156719.tif 000002
【特許請求の範囲】
【請求項１】
相互に直交するＸ方向とＹ方向に関して、所定間隔をあけてＸ方向に延びる枠フレーム(3)を複数の連結フレーム(5)でＹ方向に連結することにより枠体(7)を形成し、該枠体の上面に床板(8)を敷設すると共に、該床板の下側でＸ方向に延びる支持フレーム(6)を前記枠体(7)に固設して成る足場パネルにおいて、足場パネルの下方空間と上方空間を連通する開閉自在な窓装置(12)を設けており、
前記窓装置(12)は、床板(8)に形成された開口部(13)と、該開口部を開閉する蓋手段(14)とから成り、
前記開口部(13)は、Ｘ方向及びＹ方向に広がりを有する広口部(13a)と、該広口部から前記支持フレーム(6)を超える位置まで延長された拡張口部(13b)を形成し、
前記蓋手段(14)は、前記開口部(13)を開閉する開閉板(15)と、該開閉板の基端部(15a)を前記支持フレーム(6)に回動自在に枢結する枢結手段(16)を設けており、
前記開閉板(15)を前記支持フレーム(6)に対して回動することにより前記開口部(13)を開閉するように構成して成ることを特徴とする足場パネルにおける窓装置。
【請求項２】
前記窓装置(12)は、前記蓋手段(14)により開口部(13)を閉鎖したとき、該蓋手段(14)の両側縁(15b,15b)を下方から支承する框部材(17,17)を設けており、
前記框部材(17)は、前記支持フレーム(6)と枠フレーム(3a)に架設されて成ることを特徴とする請求項１に記載の足場パネルにおける窓装置。
【請求項３】
前記開口部(13)の反対側に位置して前記支持フレーム(6)に臨むビーム(18)を枠体(7)に固設しており、前記拡張口部(13b)に臨む床板(8)の縁部(8a)を前記ビーム(18)に固着して成ることを特徴とする請求項１又は２に記載の足場パネルにおける窓装置。
【請求項４】
前記蓋手段(14)により開口部(13)を閉鎖したとき、該蓋手段(14)を開放不能にロックする閉止ロック機構を設けており、
前記閉止ロック機構は、開口部(13)を閉鎖した蓋手段(14)の両側縁を支承する一対の框部材(17)(17)に設けた第１被係止手段(27a)及び第２被係止手段(27b)から成る被係止手段(27)と、前記第１被係止手段と第２被係止手段に対応して蓋手段(14)の内側面に設けた係止ロッド(26)から成る第１係止手段(25a)及び第２係止手段(25b)から成る係止手段(25)により構成され、
前記係止ロッド(26)は、蓋手段(14)の内側面に設けた枠部材(19)の挿通孔(35)を介してＸ方向に移動自在に支持され、先端に前記被係止手段(27)に係脱自在な係止端部(31)を設けると共に、基端に操作部(30)を設け、常時はスプリング(33)により係止端部(31)を突出する方向に弾発付勢され、第１係止手段(25a)及び第２係止手段(25b)の一対の操作部(30)(30)を握ることにより相互に引き寄せたとき一対の係止ロッドの係止端部(31)(31)を第１被係止手段(27a)及び第２被係止手段(27b)から離脱させるように構成しており、
前記挿通孔(35)は、蓋手段(14)の内側面に対する遠近方向に延長された長孔(36)を含んでおり、第１係止手段(25a)及び第２係止手段(25b)を構成する一方の係止ロッド(26)を他方の係止ロッド(26)に向けて引き抜くとき、前記長孔(36)を介して一方の係止ロッドの軸線を偏位させることにより、他方の係止ロッドに衝突しない状態で引き抜かれるように構成して成ることを特徴とする請求項１、２又は３に記載の足場パネルにおける窓装置。
【請求項５】
前記枢結手段(16)は、前記開閉板(15)の基端部(15a)と、該基端部に対向する保持板(20)と、前記基端部と保持板を所定間隔で連結する連結手段(21)により構成され、前記基端部(15a)と保持板(20)と連結手段(21)により支持フレーム(6)の外周を回動自在に抱持するように構成して成ることを特徴とする請求項１、２、３又は４に記載の足場パネルにおける窓装置。
【発明の詳細な説明】
【技術分野】
【０００１】
本発明は、高所作業のために使用する足場パネルの床板に設けた開閉自在な窓装置に関する。
【背景技術】
【０００２】
例えば、高速道路や橋梁等の高架構造物に関して建設工事や改修工事を行う際には、吊り足場と称される足場が構築され、高架構造物の躯体からチェーン等で吊下げた足場パネルを水平方向に並設することにより、工事作業のための作業床を形成している。
【先行技術文献】
【特許文献】
【０００３】
【特許文献１】特許第２６４７８０１号公報
【特許文献２】特許第２６４７８０２号公報
【特許文献３】特許第２６６４６４２号公報
【特許文献４】特許第３０１２８２７号公報
【特許文献５】特許第４０７０３１６号公報
【発明の概要】
【発明が解決しようとする課題】
【０００４】
このような吊り足場は、多数の足場パネルにより高架構造物の下側に沿って長距離に及ぶ作業床が形成され、これにより工事作業を容易にすると共に、隣り合う足場パネルを密に並設することにより、作業床から種々の物体が落下することを防止し、下方空間の安全を確保している。
【０００５】
しかしながら、その反面、作業床に滞留するコンクリート片等の要廃棄物やその他の不要物を搬出するためには、集めた不要物を長距離に及ぶ作業床の端部の開放部まで移送する必要があり、極めて煩雑で作業効率が良くないという問題がある。
【０００６】
上記問題を解決するためには、作業床の適宜個所に位置する足場パネルに開閉自在な窓装置を設け、地上からダクトを作業床に導き、ダクトを介して不要物を搬出可能とするように構成することが望ましい。
【０００７】
しかしながら、足場パネルは、高速道路のような地上から極めて高い危険な位置に設けられているから、窓装置を設ける際には、開閉構造が堅牢であり作業者に不安を与えないこと、開閉に際して蓋等の構成部材が誤って落下する危険がないこと、開閉が容易であり作業性が良いこと、確実な閉鎖を確保できること、その他の種々の課題を有する。
【課題を解決するための手段】
【０００８】
本発明は、上記課題を解決した足場パネルにおける窓装置を提供するものであり、その手段として構成したところは、相互に直交するＸ方向とＹ方向に関して、所定間隔をあけてＸ方向に延びる枠フレームを複数の連結フレームでＹ方向に連結することにより枠体を形成し、該枠体の上面に床板を敷設すると共に、該床板の下側でＸ方向に延びる支持フレームを前記枠体に固設して成る足場パネルにおいて、足場パネルの下方空間と上方空間を連通する開閉自在な窓装置を設けており、前記窓装置は、床板に形成された開口部と、該開口部を開閉する蓋手段とから成り、前記開口部は、Ｘ方向及びＹ方向に広がりを有する広口部と、該広口部から前記支持フレームを超える位置まで延長された拡張口部を形成し、前記蓋手段は、前記開口部を開閉する開閉板と、該開閉板の基端部を前記支持フレームに回動自在に枢結する枢結手段を設けており、前記開閉板を前記支持フレームに対して回動することにより前記開口部を開閉するように構成して成る点にある。
【０００９】
前記窓装置は、前記蓋手段により開口部を閉鎖したとき、該蓋手段の両側縁を下方から支承する框部材を設け、前記框部材を前記支持フレームと枠フレームに架設することが好ましい。
【００１０】
また、前記開口部の反対側に位置して前記支持フレームに臨むビームを設け、該ビームを枠体に固設すると共に、前記拡張口部に臨む床板の縁部を前記ビームに固着することが好ましい。
【００１１】
本発明の好ましい実施形態は、前記蓋手段により開口部を閉鎖したとき、該蓋手段を開放不能にロックする閉止ロック機構を設けており、前記閉止ロック機構は、開口部を閉鎖した蓋手段の両側縁を支承する一対の框部材に設けた第１被係止手段及び第２被係止手段から成る被係止手段と、前記第１被係止手段と第２被係止手段に対応して蓋手段の内側面に設けた係止ロッドから成る第１係止手段及び第２係止手段から成る係止手段により構成され、前記係止ロッドは、蓋手段の内側面に設けた枠部材の挿通孔を介してＸ方向に移動自在に支持され、先端に前記被係止手段に係脱自在な係止端部を設けると共に、基端に操作部を設け、常時はスプリングにより係止端部を突出する方向に弾発付勢され、第１係止手段及び第２係止手段の一対の操作部を握ることにより相互に引き寄せたとき一対の係止ロッドの係止端部を第１被係止手段及び第２被係止手段から離脱させるように構成されている。この際、前記挿通孔は、蓋手段の内側面に対する遠近方向に延長された長孔を含んでおり、第１係止手段及び第２係止手段を構成する一方の係止ロッドを他方の係止ロッドに向けて引き抜くとき、前記長孔を介して一方の係止ロッドの軸線を偏位させることにより、他方の係止ロッドに衝突しない状態で引き抜かれるように構成している。
【００１２】
前記枢結手段は、前記開閉板の基端部と、該基端部に対向する保持板と、前記基端部と保持板を所定間隔で連結する連結手段により構成され、前記基端部と保持板と連結手段により支持フレームの外周を回動自在に抱持するように構成することが好ましい。
【発明の効果】
【００１３】
請求項１に記載の本発明によれば、ハッチ式の窓装置を設けた足場パネル１Ａが提供されるので、例えば、該足場パネル１Ａを吊り足場の適宜個所に組込むことにより、蓋手段１４を閉鎖ロックした状態において安全な作業床を提供する一方において、蓋手段１４を開放することにより、地上から吊上げた搬出用のダクトを開口部１３を通じて作業床に導くことができるので、従来のように搬出物を長距離に及ぶ作業床の端部の開放部まで移送する煩雑がなく作業効率が向上する。
【００１４】
そして、蓋手段１４は、足場パネル１Ａに枢結されているので、離脱することにより開閉に際して誤って落下することはなく、安全を担保し、しかも、蓋手段１４の開閉構造は、支持フレーム６の軸部６ａにより枢軸を構成するため、別個に枢軸を設ける必要がなく構造が簡単であると共に、枠体７に剛体化された支持フレーム６を枢軸とするため、堅牢であり、高所作業中の作業者に不安を与えることがない。
【００１５】
請求項２に記載の本発明によれば、框部材１７、１７を設けているので、閉鎖された蓋手段１４を好適に支承することができ、この際、框部材１７、１７により支持フレーム６と枠フレーム３ａを橋架しているので、開口部１３の下側の空間部Ｓに剛性のある枠組構造を提供すると共に、足場パネル１Ａの枠体７を強化する。
【００１６】
請求項３に記載の本発明によれば、床板８の縁部８ａをビーム１８に固着しているので、開放した蓋手段１４が縁部８ａに押圧力を与える場合でも、該押圧力を強固に支持することにより、該縁部８ａと共に床板８に歪み変形が発生することを阻止できる。
【００１７】
請求項４に記載の本発明によれば、蓋手段１４と框部材１７の間に閉止ロック機構を設けているので、蓋手段１４が枠体７に剛体化された框部材１７に対して堅固に係止され、足場パネル１Ａの上で高所作業を行う際に、蓋手段１４が閉鎖状態から不慮に開放されることはなく、開口部１３を閉鎖した安全な状態を確保する。この際、閉止ロック機構は、一対の第１係止手段２５ａ及び第２係止手段２５ｂと一対の第１被係止手段２７ａ及び第２被係止手段２７ｂにより構成されており、万一、一方の閉止ロック機構（２５ａ、２７ａ）が解除されても、他方の閉止ロック機構（２５ｂ、２７ｂ）がロック状態を保持しているので、蓋手段１４の確実強固で安全な閉止ロックが可能となる。そして、閉止ロックを意図的に解除して蓋手段１４を開放する場合は、一対の操作部３０、３０を同時に握ることによりロックを解除することが可能であるから、ロック解除操作が簡単容易であり、しかも、操作部３０、３０を蓋手段１４の引き上げのためのハンドルとして利用できる便利がある。
【００１８】
特に、それぞれ係止ロッド２６から成る第１係止手段２５ａ及び第２係止手段２５ｂを挿通孔３５に挿通することによりＸ方向に移動自在に支持した構成において、前記挿通孔３５は、蓋手段１４の内側面に対する遠近方向に延長された長孔３６を含むように構成されているので、修理その他の保守管理等のために、第１係止手段２５ａ及び第２係止手段２５ｂを構成する一方の係止ロッド２６を他方の係止ロッド２６に向けて引き抜くとき、前記長孔３６を介して一方の係止ロッド２６の軸線を偏位させることにより、他方の係止ロッド２６に衝突しない状態で引き抜くことが可能である。
【００１９】
従って、反対に、係止ロッド２６を挿通孔３５に挿通させる場合も、同様に長孔２６を介して他方の係止ロッド２６に干渉しない姿勢とした状態で該係止ロッド２６を挿通させることが可能であるから、枠部材１９を備えた蓋手段１４に対して一対の係止ロッド２６、２６を後付けによりアセンブリすることが容易である。
【００２０】
請求項５に記載の本発明によれば、枢結手段１６が開閉板１５の基端部１５ａと、該基端部１５ａに対向する保持板２０と、前記基端部１５ａと保持板２０を所定間隔で連結する連結手段２１により構成され、これにより支持フレーム６の外周を回動自在に抱持する構成であるから、床板８を敷設した足場パネル１Ａにおいて、開口部１３の拡張口部１３ｂにより上方空間を開放された支持フレーム６の軸部６ａに対して、蓋手段１４の枢結手段１６を枢結することにより、蓋手段１４の後付け可能であり、アセンブリが容易となる。
【図面の簡単な説明】
【００２１】
【図１】本発明の１実施形態に係る窓装置を設けた窓付き足場パネルを含む足場パネルにより構築された吊り足場の１例を示す斜視図である。
【図２】本発明の１実施形態に係る窓付き足場パネルを示す分解斜視図である。
【図３】本発明の１実施形態に係る窓装置に関して、蓋手段を開口部から分離した状態を示す斜視図である。
【図４】蓋手段を開口部から分離した状態を拡大して示す斜視図である。
【図５】蓋手段を開口部に枢結した状態を示す斜視図である。
【図６】蓋手段を内側面から見た側面図である。
【図７】図６のＡ−Ａ線に対応する断面図であり、蓋手段を開放した状態を示す断面図である。
【図８】蓋手段を閉鎖した状態を示す断面図であり、（Ａ）は図７に対応する断面図、（Ｂ）はＢ−Ｂ線断面図である。
【図９】係止ロッドを挿通する挿通孔の構成と作用を示しており、（Ａ）は係止ロッドを引き抜き前の状態を示す断面図、（Ｂ）は引き抜き中の作用を示す断面図である。
【発明を実施するための形態】
【００２２】
以下図面に基づいて本発明の好ましい実施形態を詳述する。
【００２３】
図１は、高架構造物の下側に構築された吊り足場の１例を示している。吊り足場は、高架構造物の躯体に固設されたＨ型鋼等から成る支持レールに対して、多数の足場パネル１をチェーン等の吊持手段２により吊下げると共に水平方向に並設することにより構築され、これにより工事作業のための作業床を形成する。しかしながら、本発明の足場パネルは、吊り足場の他、枠組足場やその他の足場にも利用可能であることを諒解されたい。
【００２４】
作業床は、水平方向で相互に直交するＸ方向とＹ方向に関して、複数の足場パネル１をＸ方向に並設すると共に、多数の足場パネル１をＹ方向に並設することにより、Ｘ方向に所定幅とされた作業床をＹ方向に向けて延長する。そこで、作業床を構成する多数の足場パネル１のうち、適宜個所に位置する足場パネルとして、本発明の開閉自在なハッチ式の窓装置を設けた窓付き足場パネル１Ａが組込まれる。
【００２５】
図示実施形態の場合、足場パネル１と窓付き足場パネル１Ａは、以下に説明するような共通の基本的構成を有しており、足場パネル１に部分的な加工を施すことにより窓付き足場パネル１Ａが提供される。
【００２６】
［足場パネル］
図２は、窓付き足場パネル１Ａを示しているが、足場パネル１と共通する構成として、所定間隔をあけてＸ方向に延びる一対の枠フレーム３ａ、３ｂが配置され、該枠フレーム３ａ、３ｂの両端部を一対の支持パイプ４により連結すると共に、中間部を複数の連結フレーム５によりＹ方向に連結し、更に、一対の枠フレーム３ａ、３ｂの間の中央に配置されたＸ方向に延びる支持フレーム６を前記連結フレーム５に貫通させると共に、該支持フレーム６の両端を前記支持パイプ４に固着し、これにより枠体７を形成しており、該枠体７の上面に床板８が敷設される。この際、支持フレーム６は、断面円形のパイプ材により形成することが好ましい。尚、床板８は、図例の場合、金属板により形成しているが、金網等により形成しても良く、シート材のものであれば良い。
【００２７】
前記枠フレーム３ａ、３ｂは、Ｘ方向に延びる上面のうち幅方向内側を低くした段状の支持面９を形成し、該支持面９を前記連結フレーム５の上面と面一になるように構成しており、前記床板８は、図３に示すように、前記支持面９及び連結フレーム５に載置すると共にリベット等のファスナで固着することにより敷設される。
【００２８】
前記床板８は、枠体７に敷設された状態で、Ｘ方向の両端縁を支持パイプ４よりも内側に位置するように形成され、これにより上方空間を開放された支持フレーム６の両端部に吊持部１０を形成し、該吊持部１０を前記吊持手段２により吊持するように構成している。尚、前記吊持部１０に加えて、床板８の上方に突出する吊環（図示せず）を支持フレーム６の適所に設け、該吊環を吊持手段２により吊持するように構成しても良い。
【００２９】
図例の場合、前記支持パイプ４、４は、一対の枠フレーム３ａ、３ｂを貫通し、一端部に一方の枠フレーム３ａから突出するプラグ部材１１を固着すると共に、他端部にソケット部（図示せず）を形成している。従って、吊り足場の構築に際し、図１に示すように、Ｙ方向に隣り合う一対の足場パネル１（１Ａ）は、相互に、一方のプラグ部材１１を他方のソケット部に挿入し、ピンで抜止め状態に固定することにより、密に並設される。尚、Ｘ方向に隣り合う一対の足場パネル１（１Ａ）は、相互に対向する支持パイプ４、４をクランプ金具等の連結手段（図示せず）により連結固定することにより、密に並設される。
【００３０】
上述した構成は、足場パネル１と窓付き足場パネル１Ａに共通の基本的構成であり、これに対して、窓付き足場パネル１Ａは、下方空間と上方空間を連通する開閉自在なハッチ式の窓装置１２を設けている。
【００３１】
［窓装置］
窓装置１２は、図２及び図３に示すように、枠体７の隣り合う一対の連結フレーム５、５の間の空間部Ｓに臨んで床板８に形成された開口部１３と、該開口部１３を開閉する蓋手段１４により構成されている。従って、蓋手段１４を開放すると、足場パネル１Ａの下方空間と上方空間が開口部１３を介して連通される。
【００３２】
前記開口部１３は、図２に示すように、床板８の側縁部から切欠き状に形成され、Ｘ方向及びＹ方向に広がりを有する広口部１３ａと、該広口部１３ａからＹ方向に向けて前記支持フレーム６を超える位置まで延長された拡張口部１３ｂを形成している。これに対し、前記蓋手段１４は、図３ないし図５に示すように、前記開口部１３を開閉する開閉板１５と、該開閉板１５の基端部１５ａを前記支持フレーム６に回動自在に枢結する枢結手段１６を設けており、開閉板１５を支持フレーム６に対して回動することにより前記開口部１３を開閉するように構成されている。
【００３３】
従って、蓋手段１４は、床板８を敷設した窓付き足場パネル１Ａに対して、前記拡張口部１３ｂにより上方空間を開放された支持フレーム６の軸部６ａに枢結手段１６を取付けることにより後付け可能であり、アセンブリを容易とする。そして、蓋手段１４は、足場パネル１Ａに分離不能に枢結されるので、開閉に際して誤って落下することはなく、安全を担保する。特に、蓋手段１４の開閉構造は、支持フレーム６の軸部６ａが枢軸を構成しているので、別個に枢軸を設ける必要がなく構造が簡単であり、しかも、枠体７に剛体化された支持フレーム６を枢軸とするため、堅牢であり、高所作業中の作業者に不安を与えることがない。
【００３４】
前記空間部Ｓの両側には、前記蓋手段１４により開口部１３を閉鎖したとき、該蓋手段１４の両側縁を下方から支承する框部材１７、１７が設けられており、該框部材１７、１７は、両端を支持フレーム６と枠フレーム３ａに固着することにより架設されている。
【００３５】
前記框部材１７、１７は、閉鎖状態とされた蓋手段１４を支承するだけでなく、支持フレーム６と枠フレーム３ａを橋架することにより、開口部１３の下側の空間部Ｓに剛性のある枠組構造を提供すると共に、足場パネル１Ａの枠体７を強化する。
【００３６】
図示実施形態の場合、前記支持フレーム６を挟んで空間部Ｓの反対側には、該支持フレーム６に近接して平行に延びるビーム１８が設けられ、該ビーム１８は、両端を連結フレーム５、５に固着することにより架設されており、図７に示すように、拡張口部１３ｂに臨む床板８の縁部８ａを該ビーム１８に対してリベット等のファスナ８ｂにより固着している。尚、支持フレーム６とビーム１８の間には、開閉回動時における基端部１５ａの進入を許す空隙部Ｇが形成されている。
【００３７】
図７に示すように、蓋手段１４は、角度θ（θ＞９０度、図例の場合は約１１２度）まで開放すると、開閉板１５の外側面が前記床板８の縁部８ａに当接する。そこで、縁部８ａに押圧力が与えられると、図７に鎖線で示すように、該縁部８ａと共に床板８のＹ方向に離れた部分が歪み変形するおそれがある。この点に関して、上述のように縁部８ａを剛体構造のビーム１８に一体的に固着結合した図示実施形態の構成によれば、縁部８ａが蓋手段１４の押圧力を強固に支持するので、図示鎖線のような歪み変形を生じることはない。
【００３８】
［蓋手段］
前記蓋手段１４は、図４ないし図６に示すように、開閉板１５の内側面に枠部材１９を設けている。枠部材１９は、開閉板１５の両側縁に沿う閉止縁１５ｂを残して内側に配置された縦枠１９ｂ、１９ｂと、開閉板１５の基端部１５ａを残して内側に配置された基端側横枠１９ａと、開閉板１５の基端部１５ａの反対側に位置する自由端側の閉止縁１５ｃを残して内側に配置された自由端側横枠１９ｃにより矩形の枠組を構成し、更に、開閉板１５の中央から左右に間隔をあけて前記縦枠１９ｂとほぼ平行な一対の縦桟１９ｄ、１９ｄを設けている。
【００３９】
これにより、蓋手段１４は、前記枠部材１９により剛体化され、開口部１３を閉鎖したとき、図８に示すように、前記縦枠１９ｂから張り出す閉止縁１５ｂが框部材１７に載置され、前記自由端側横枠１９ｃから張り出す閉止縁１５ｃが枠フレーム３ａの支持面９に載置される。
【００４０】
［枢結手段］
前記枢結手段１６は、図４ないし図６に示すように、前記開閉板１５の基端部１５ａと、該基端部１５ａの内側面に対向する保持板２０と、前記基端部１５ａと保持板２０を所定間隔で連結する連結手段２１により構成され、前記基端部１５ａと保持板２０により支持フレーム６の軸部６ａを外周から回動自在に抱持するように構成している。
【００４１】
図示実施形態の場合、一対の保持板２０、２０は、前記枠部材１９の基端側横枠１９ａの両端部に臨むコーナ部分に配置され、該横枠１９ａと縦枠１９ｂにボルトナット等の固着手段２２により固着されており、該保持板２０の舌片部２０ａと開閉板１５の基端部１５ａの間に抱持空間２３を形成し、該抱持空間２３の開口部分に位置して基端部１５ａと舌片部２０ａを前記連結手段２１により連結するように構成している。
【００４２】
従って、蓋手段１４を支持フレーム６の軸部６ａに枢結する場合、開口部１３の拡張口部１３ｂに枢結手段１６を挿入し、前記抱持空間２３に軸部６ａを抱持させた状態で、前記連結手段２１により前記基端部１５ａと舌片部２０ａを連結することにより、抜止めされた抱持状態とすれば良い。図７及び図８に示す図示実施形態の場合、連結手段２１は、基端部１５ａを貫通し、先端部を舌片部２０ａの雌ネジ孔に螺着されるボルトにより構成されており、該ボルトにカラー２４を外挿している。このように基端部１５ａと舌片部２０ａの間にカラー２４を介装することにより、連結手段２１を締め過ぎても、基端部１５ａと舌片部２０ａにより軸部６ａを強く挟着することはないので、微小なクリアランスを保持した抱持状態が確保され、スムースな枢支回動が可能となる。
【００４３】
［閉止ロック機構］
窓装置１２は、蓋手段１４により開口部１３を閉鎖したとき、該蓋手段１４を開放不能にロックする閉止ロック機構を設けている。閉止ロック機構は、蓋手段１４に設けられた係止手段２５を構成する係止ロッド２６と、前記框部材１７に設けられた被係止手段２７を構成する受部２８から成り、係止手段２５を被係止手段２７に係脱自在に係止することにより蓋手段１４を開放不能にロックするように構成している。
【００４４】
従って、窓付き足場パネル１Ａの上で高所作業を行う際、蓋手段１４が閉鎖状態から不慮に開放されることはなく、開口部１３を閉鎖した安全な状態を確保するので、作業者が足を踏み外したり、物体が落下したりするような危険はない。
【００４５】
前記係止ロッド２６は、蓋手段１４の内側面にＸ方向に移動自在に設けられており、前記受部２８は、框部材１７に設けた孔、凹部、切欠き等から形成され、係止ロッド２６を移動することにより係脱自在に係止するように構成されている。
【００４６】
図５及び図６に示すように、前記受部２８から成る被係止手段２７は、一対の框部材１７、１７にそれぞれ設けることにより、第１被係止手段２７ａと第２被係止手段２７ｂを構成し、これに対応して、前記係止ロッド２６から成る係止手段２５は、蓋手段１４の中央に位置して左右対称状に設けることにより、第１係止手段２５ａと第２係止手段２５ｂを構成している。
【００４７】
第１係止手段２５ａ及び第２係止手段２５ｂを構成する係止ロッド２６は、開閉板１５の左右方向の中央に開設された操作窓２９を横断するように配置された操作部３０と、該操作部３０の一端部から折曲されることによりＸ方向に延びると共に縦桟１９ｄ及び縦枠１９ｂに挿通孔３５ａ、３５ｂを介して摺動自在に挿通される作動ロッド部３２と、作動ロッド部３２の先端部で前記閉止縁１５ｂに臨む係止端部３１を備えており、前記係止端部３１を縦枠１９ｂから突出させる方向に弾発付勢するスプリング３３を設けており、ストッパ３３ａを縦桟１９ｄに当接することにより係止端部３１を所定の突出状態となるように保持している。この際、図示実施形態のように、前記操作部３０の他端部から延長ロッド部３４を折曲形成し、該延長ロッド部３４を縦桟１９ｄに挿通孔３５ｃを介して摺動自在に挿通させることにより、係止ロッド２６を回動不能に保持することが好ましい。尚、図示実施形態の場合、前記スプリング３３は、前記延長ロッド部３４の挿出端部に設けているが、前記作動ロッド部３２に設けても良い。
【００４８】
この際、後述するように、係止ロッド２６の挿脱を可能とするため、挿通孔３５（３５ａ、３５ｂ、３５ｃ）のうち所定の挿通孔（図例の場合、作動ロッド部３２を挿通させる縦桟１９ｄの挿通孔３５ｂ）は、図５及び図９に示すように、蓋手段１４の内側面に対する遠近方向に延長された長孔３６により構成されている。
【００４９】
図６の部分拡大図及び図８（Ｂ）に示すように、前記係止ロッド２６の係止端部３１は、傾斜面となるガイド斜面３１ａを形成しており、蓋手段１４を開口部１３に進入すると、前記ガイド斜面３１ａが框部材１７に摺接することにより係止ロッド２６をスプリング３３に抗して後退させ、蓋手段１４を開口部１３に内嵌することにより係止端部３１を受部２７に対面させると、係止ロッド２６をスプリング３３により前進させ、係止端部３１を受部２７に挿入係止するように構成されており、これにより蓋手段１４を開放不能にロックする。
【００５０】
従って、開口部１３を開口状態から閉蓋するときは、係止ロッド２６を操作しなくても、単に蓋手段１４を閉止方向に回動させるだけで、自動的にロック状態が得られ、閉止作業を容易とする。このため、蓋手段１４を手指で握持して開口部１３の近くまで閉止方向に回動させ、その後、手指から放すことにより蓋手段１４を自重で開口部１３に内嵌させれば、自動ロックされるので、作業者の指詰めの危険がない。
【００５１】
閉鎖状態とされた蓋手段１４を開放する場合は、開閉板１５の外側から作業者の手指を操作窓２９に挿入し、該操作窓２９に臨んで配置された第１係止手段２５ａと第２係止手段２５ｂの一対の操作部３０、３０を同時に握ることにより、それぞれの係止ロッド２６、２６をスプリング３３に抗して相互に引き寄せれば、それぞれの係止端部３１、３１が受部２７ａ、２７ｂから同時に脱出して前記ロックを解除するので、操作部３０、３０を握持したまま、蓋手段１４を引き上げれば良い。
【００５２】
従って、閉止ロック機構は、蓋手段１４を閉止した状態において、作業者が操作窓２９に手指を挿入して操作部３０を操作しない限り、ロックが解除されることはなく、安全性を担保する。
【００５３】
特に、上記実施形態のように、一対の第１係止手段２５ａ及び第２係止手段２５ｂと一対の第１被係止手段２７ａ及び第２被係止手段２７ｂにより構成した閉止ロック機構によれば、万一、一方の閉止ロック機構（２５ａ、２７ａ）が解除されても、他方の閉止ロック機構（２５ｂ、２７ｂ）はロック状態を保持しているので、蓋手段１４の確実強固で安全な閉止ロックが可能となり、その一方において、意図したロック解除を行う場合は、その操作が簡単容易であり、しかも、操作部３０、３０を蓋手段１４の引き上げのためのハンドルとしても利用できる便利がある。
【００５４】
上述のように、一対の係止ロッド２６の操作部３０を対向させた第１係止手段２５ａと第２係止手段２５ｂを構成する図示実施形態の場合、一対の操作部３０、３０を握ることにより第１係止手段２５ａと第２係止手段２５ｂのロックを同時に解除できる利点がある反面、修理その他の保守点検等に際して、係止ロッド２６を引き抜く必要が生じたとき、同軸上に位置する一対の係止ロッド２６、２６が相互に衝突して干渉するので、引き抜き不能となる問題がある。
【００５５】
この点に関して、本発明の実施形態は、図９に示すように、挿通孔３５（３５ａ、３５ｂ、３５ｃ）のうち所定の挿通孔（図例の場合、作動ロッド部３２を挿通させる縦桟１９ｄの挿通孔３５ｂ）を蓋手段１４の内側面に対する遠近方向に延長された長孔３６により構成している。このため、例えば、第２係止手段２５ｂの係止ロッド２６を引き抜く場合、図９（Ａ）に示すようにスプリング３３等を取外すことにより引き抜き可能な状態とした後、図９（Ｂ）に示すように、引き抜き方向への移動と共に、長孔３６を介して作動ロッド部３２の軸線を偏位させることにより、第１係止手段２５ａの係止ロッド２６に干渉することなく引き抜くことが可能である。
【００５６】
従って、反対に、係止ロッド２６を挿通孔３５に挿通させる場合も、同様に長孔２６を介して他方の係止ロッド２６に干渉しない姿勢とした状態で該係止ロッド２６を挿通させることが可能である。このため、枠部材１９を備えた蓋手段１４を形成した後、第１係止手段２５ａと第２係止手段２５ｂを構成する一対の係止ロッド２６、２６をアセンブリすることにより、閉止ロック機構を後付けすることが簡単容易となる。
【００５７】
尚、図示の構成では、第１係止手段２５ａと第２係止手段２５ｂの両方の挿通孔３５ｂに長孔３６を形成しているが、少なくとも一方に設ければ良い。
【００５８】
上記構成とされた窓付き足場パネル１Ａは、構築された吊り足場の適宜個所に組込まれ、蓋手段１４を閉鎖ロックした状態で安全な作業床を提供する。そして、作業床に滞留するコンクリート片等の要廃棄物や、不要物、その他の搬出物を地上に搬出する場合は、蓋手段１４を開放し、地上からダクト等の搬出手段を作業床に導くことにより搬出可能であるから、従来のように搬出物を長距離に及ぶ作業床の端部の開放部まで移送する煩雑はなく、作業効率を向上する。
【符号の説明】
【００５９】
１  足場パネル
１Ａ  窓付き足場パネル
２  吊持手段
３ａ、３ｂ  枠フレーム
４  支持パイプ
５  連結フレーム
６  支持フレーム
６ａ  軸部
７  枠体
８  床板
８ａ  縁部
８ｂ  ファスナ
９  支持面
１０  吊持部
１１  プラグ部材
１２  窓装置
１３  開口部
１３ａ  広口部
１３ｂ  拡張口部
１４  蓋手段
１５  開閉板
１５ａ  基端部
１５ｂ  閉止縁
１６  枢結手段
１７  框部材
１８  ビーム
１９  枠部材
１９ａ  基端側横枠
１９ｂ  縦枠
１９ｃ  自由端側横枠
１９ｄ  縦桟
２０  保持板
２０ａ  舌片部
２１  連結手段
２２  固着手段
２３  抱持空間
２４  カラー
２５  係止手段
２５ａ  第１係止手段
２５ｂ  第２係止手段
２６  係止ロッド
２７  被係止手段
２７ａ  第１被係止手段
２７ｂ  第２被係止手段
２８  受部
２９  操作窓
３０  操作部
３１  係止端部
３１ａ  ガイド斜面
３２  作動ロッド部
３３  スプリング
３３ａ  ストッパ
３４  延長ロッド部
３５  挿通孔
３６  長孔
【図１】
2014156719.tif 000003
【図２】
2014156719.tif 000004
【図３】
2014156719.tif 000005
【図４】
2014156719.tif 000006
【図５】
2014156719.tif 000007
【図６】
2014156719.tif 000008
【図７】
2014156719.tif 000009
【図８】
2014156719.tif 000010
【図９】
2014156719.tif 000011